(57)【要約】【課題】  粘性のある粉末の漏れのみならず超微細粉末の漏れに対しても効果的なシールを行うことができる閉止装置を提供すること。【解決手段】  閉止装置（１０）はエラストマー部材からなることを特徴とする。閉止装置は、中実であり被包化されたキャビティまたは限定空間を有さないものであることが好ましい。【選択図】  図１
2005059959.tif 000002
【特許請求の範囲】
【請求項１】
流動性物質の貯蔵器の閉止装置であって、
閉止装置（１０）がエラストマー部材からなることを特徴とする閉止装置。
【請求項２】
閉止装置は中実であり被包化されたキャビティまたは限定空間を有さないものであることを特徴とする請求項１記載の閉止装置。
【請求項３】
円錐状の上部部分（１１）と、
円錐部分の下端に設けられ貯蔵器の壁をシールする無端状の周縁部（１２）と、
を備えたことを特徴とする請求項１または２記載の閉止装置。
【請求項４】
周縁部（１２）は円錐部分（１１）の下端から下方へ向かって離れるにつれてこの周縁部（１２）の厚さが減少することを特徴とする請求項３記載の閉止装置。
【請求項５】
周縁部（１２）の内部に設けられ、閉止作動部材の一部を受け入れる凹部（１４）を形成するために円錐状の上部部分（１１）の底面から突出する無端状の壁部（１３）を更に有することを特徴とする請求項３または４記載の閉止装置。
【請求項６】
無端状の壁（１３）が円錐部分（１１）から下方に向かって離れるにつれてこの無端状の壁（１３）の厚さが減少することを特徴とする請求項５記載の閉止装置。
【請求項７】
請求項１乃至６のいずれかに記載の閉止装置（１０）と、
この閉止装置により閉止自在となっている吐出口と、
を備えたことを特徴とする流動性物質の貯蔵器。
【請求項８】
貯蔵器はサイロまたは中間バルクコンテナ（２０）からなることを特徴とする請求項７記載の貯蔵器。
【発明の詳細な説明】
【技術分野】
【０００１】
本発明は、サイロまたは中間バルクコンテナのような流動性物質の貯蔵器の閉止装置、およびこの閉止装置を備えた貯蔵器に関する。
【背景技術】
【０００２】
例えば英国特許公開公報第２３４８６３６号公報により、例えば粉末や他の粒子状物質などの流動性物質の貯蔵器（例えばホッパ）の吐出口を閉止するコーン弁形式の閉止装置が与えられることが知られている。これらの公知の弁は中空でありプラスチック部材または可撓性の鋼材からなる。公知の弁は粘性のある粉末の漏れに対しては効果的なシールを行うが、超微細粉末に対しては他のシール部材がなければ機能しない。
【発明の開示】
【課題を解決するための手段】
【０００３】
本発明の第１の特徴は、流動性物質の貯蔵器の閉止装置であってエラストマー部材からなる閉止装置を提供することにある。
【０００４】
エラストマー部材からなる閉止装置により、粘性のある粉末の漏れのみならず超微細粉末の漏れに対しても効果的なシールを行うことができる。
【０００５】
閉止装置は、中実であり被包化されたキャビティまたは限定空間を有さないものであってもよい。
【０００６】
閉止装置は円錐状の上部部分と、円錐部分の下端に設けられ貯蔵器の壁をシールする無端状の周縁部とを有することが好ましい。周縁部が円錐部分の下端から下方へ向かって離れるにつれて、この周縁部の厚さが減少することがより都合が良い。このことにより、周縁部の自由端がより可撓性を有するようになり、シール能力を向上させるようになる。
【０００７】
閉止装置は、周縁部の内部に設けられ、閉止作動部材の一部を受け入れる凹部を形成するために円錐状の上部部分の底面からの突出する無端状の壁部を更に有してもよい。この場合、無端状の壁部が円錐部分から下方に向かって離れるにつれてこの無端状の壁部の厚さが減少してもよい。このことにより、周縁部の自由端がより可撓性を有することとなり、貯蔵器の壁をより十分にシールすることができる。
【０００８】
本発明の第２の特徴は、本発明の第１の特徴による閉止装置と、この閉止装置により閉止自在となっている吐出口とを有する流動性物質の貯蔵器を提供することである。
【発明を実施するための最良の形態】
【０００９】
本発明について、添付図面を参照してその一例を用いてより詳しく説明する。
【００１０】
図面に示すように、図示の閉止装置１０は、粉末または粒状物質を貯蔵するサイロまたは中間バルクコンテナのような、流動性の粒子状物質の貯蔵器２０（図２参照）の吐出口を閉じるよう設けられている。この閉止装置１０は、一般的には例えば英国特許公開公報第２３４８６３６号公報に記載される方法で、作動装置により閉止作動部材が上方に移動自在となっていることにより作動される。
【００１１】
閉止装置１０は円錐状の上部部分１１、円錐部分１１の下端に設けられ貯蔵器２０の壁をシールする無端状の周縁部（または外すそ部）１２と、周縁部１２の内部に設けられ、プローブ（図示しないが英国特許公開公報第２３４８６３６号公報より参照される）からなる閉止作動部材の一部を受け入れる凹部１４を形成するために円錐状の上部部分１１の底面からの突出する無端状の壁部（または内すそ部）１３を備えている。
【００１２】
閉止装置１０は、典型的にはゴムまたはポリエチレンであるエラストマー部材からなる。
【００１３】
閉止装置１０は、中実であり被包化されたキャビティまたは限定空間を有さないものであってもよい。これにより、閉止装置１０が全体的に衛生的なものとなる。この場合、閉止装置１０をエラストマー部材の完全な射出成形体とすることができ、または図示のように鋼の挿入体１５を含むものとすることができる。
【００１４】
図２に示すように、周縁部１２および壁部１３の下端の両方により貯蔵器２０の壁をシールする。
【００１５】
周縁部１２は円錐部分１１の下端から下方に向かって離れるにつれてこの周縁部１２の厚さが減少し、また無端状の壁部１３は円錐部分１１から下方に向かって離れるにつれてこの無端状の壁部１３の厚さがテーパ状に減少する。典型的には、周縁部１２および無端状の壁部１３の厚さは、両方とも自由端において共に約３ｍｍとなるよう減少する。このことにより、それぞれ、周縁部１２および無端状の壁部１３の可撓性が増し、貯蔵器２０の壁およびプローブに対するシール性能が向上する。閉止装置にエラストマー部材を使用することにより、閉止装置は粘性のある粉末の漏れのみならず超微細粉末の漏れに対しても効果的なシールを行うことができることがわかる。このことにより、他のガスケットまたはシール部材を弁または貯蔵器に設ける必要がなく、装置を全体的に衛生的なものとすることができる。また、閉止装置は手入れを必要とせず、組立および解体を単純なものとすることができる。
【００１６】
二重のシール、すなわち無端状の周縁部１２と貯蔵器２０の壁との間のシールおよび無端状の壁部１３と貯蔵器２０の壁との間のシールにより、傾斜または漏れのない閉止装置の安定性を保つことができる。周縁部１２と貯蔵器２０の壁との間の上部シールにより、完全にまたは十分に壁部１３と貯蔵器２０の壁との間の下部シールへの貯蔵物の押圧力の発生を防止することができ、このことにより下部シールは埃および／または２つのシール間の少量の貯蔵物のシールを行うだけでよい。これに対して、吐出口に１つの柔軟性のあるシールが設けられているだけでは、特に微細粉末が容易に流動化して低粘度の液体のように動作することにより、貯蔵物の押圧力によってこの貯蔵物が吐出口を通過してしまう。さらに、壁部１３が可撓性であることにより、テーパ状の閉止作動部材を良好にシールすることができ、その結果として大気にさらされる貯蔵物のみが、無端状の壁部１３の下端で細い環状の貯蔵物の埃となる。
【００１７】
使用時には、駆動装置がプローブを上方へ移動させて閉止装置１０を開き、そして例えば英国特許公開公報第２３４８６３６号公報でより詳細に記載されているように、円錐部分１１の上部表面の上側の粉末を細分化するために閉止装置を上方および下方に振動させる。
【図面の簡単な説明】
【００１８】
【図１】本発明による閉止装置の一の実施形態の断面図である。
【図２】閉止装置が貯蔵器の壁をシールする方法を示す、図１の閉止装置および貯蔵部の一部の断面図である。
【図１】
2005059959.tif 000003
【図２】
2005059959.tif 000004
【外国語明細書】
2005059959000001.pdf